(57)【要約】【課題】  組立作業を簡単、迅速にでき、しかも短辺側の側板を持って棺を持ち上げても、この側板がずれ上がることがないようにする。【解決手段】  長方形状の底板１と、この底板１の両長辺側に設けている前後の側板２と、底板１の両短辺側に設けている左右の側板３とで棺本体４を直方体状に形成する。この棺本体４の開口状の上面を塞ぐ蓋５を備えて形成する。上記の前後の側板２と左右の側板３とを、底板１に蝶番６で連結して折畳み自在に形成する。この場合本考案は、前後の側板２と左右の側板３をワンタッチで簡単且つ迅速に固定できるよう、折畳み状態から起立状に組立てたとき、前後の側板２と左右の側板３を嵌め付けるための嵌合部７を、前後の側板２と左右の側板３の接合位置に設けているのが好ましい。【選択図】  図１
0003176271.tif 000002
【実用新案登録請求の範囲】
【請求項１】
長方形状の底板と、この底板の両長辺側に設けられている前後の側板と、底板の両短辺側に設けられている左右の側板とで棺本体が直方体状に形成され、この棺本体の開口状の上面を塞ぐ蓋を備えて形成されている棺であって、上記の前後の側板と左右の側板とが、底板に蝶番で連結されて折畳み自在に形成されていることを特徴とする折畳み式の棺。
【請求項２】
請求項1記載の折畳み式の棺であって、折畳み状態から起立状に組立てられたとき、前後の側板と左右の側板を嵌め付けるための嵌合部が、前後の側板と左右の側板の接合位置に設けられていることを特徴とする折畳み式の棺。
【考案の詳細な説明】
【技術分野】
【０００１】
本考案は、棺に関し、更に詳しくは簡単、迅速に組立てることができ、運搬時、保管時の占有スペースを小さくできるよう形成した折畳み式の棺に関するものである。
【背景技術】
【０００２】
従来この種の棺としては、例えば特許文献１に記載されているものが知られている。
この特許文献１に記載の棺は、底板と、その両長辺側に取り付けられる側板とが蝶番で連結されている。そして、底板の短辺側の左右の側板は、底板の長辺側の側板を立ち上げた後、上から嵌め込み可能に形成されている。
【０００３】
従って、従来品の場合は、左右の側板を嵌め込む作業が煩わしく、その結果、組立てに手間暇がかかるのを避けられなかった。
また従来品は、上記の通り、左右の側板を上から嵌め込む構造であったから、従来品によると、棺を持ち上げる際に、この左右の側板が過ってずれ上がることがあった。
【先行技術文献】
【特許文献】
【０００４】
【特許文献１】特開２００９−２８５１９２号公報
【考案の概要】
【考案が解決しようとする課題】
【０００５】
本考案は、このような従来品の問題点に鑑み、提案されたものである。
従って本考案の解決しようとする技術的課題は、組立作業を簡単、迅速にでき、しかも短辺側の側板を持って棺を持ち上げても、この側板がずれ上がることがないよう形成した折畳み式の棺を提供することにある。
【課題を解決するための手段】
【０００６】
本考案は、上記の課題を解決するため、次のような技術的手段を採る。
即ち、本考案は、図１等に示されるように、長方形状の底板１と、この底板１の両長辺側に設けられている前後の側板２と、底板１の両短辺側に設けられている左右の側板３とで棺本体４が直方体状に形成され、この棺本体４の開口状の上面を塞ぐ蓋５を備えて形成されている棺であって、上記の前後の側板２と左右の側板３とが、底板１に蝶番６で連結されて折畳み自在に形成されていることを特徴とする（請求項１）。
【０００７】
本考案の場合、蝶番６の取り付け間隔や取り付け個数は任意である。なお、前後の側板２と左右の側板３を起立状に固定する構造としては、例えば上から見てＬ字形の嵌め込み用部材を、棺本体４の上部の四隅に上から夫々嵌め付けて固定したり、前後、左右の側板３同士を嵌着させることなどにより実現される。
【０００８】
而してこの場合、本考案は、図６等に示されるように、折畳み状態から起立状に組立てられたとき、前後の側板２と左右の側板３を嵌め付けるための嵌合部７が、前後の側板２と左右の側板３の接合位置に設けられているのが好ましい（請求項２）。
なぜならこれによると、前後の側板２と左右の側板３をワンタッチで簡単且つ迅速に固定できるからである。
【考案の効果】
【０００９】
本考案は、このように長方形状の底板と、この底板の両長辺側に設けられている前後の側板と、底板の両短辺側に設けられている左右の側板とで棺本体が直方体状に形成され、この棺本体の開口状の上面を塞ぐ蓋を備えて形成されている棺であって、上記の前後の側板と左右の側板とが、底板に蝶番で連結されて折畳み自在に形成されているものである。
【００１０】
従って本考案の場合は、前後の側板と左右の側板を折畳むことができるから、これによれば、運搬や保管が容易になるだけではなく、折畳み操作や組立て操作に係る手間暇を軽減できる。
また本考案は、左右の側板（底板の短辺側の側板）が、底板に蝶番で連結されている。
従って本考案の場合は、棺を持ち上げるとき、左右の側板を持っても、この側板がずれ上がることを防止できるから、これによれば、棺の運搬や移動を支障なく行うことができる。
【図面の簡単な説明】
【００１１】
【図１】本考案の棺の好適な一実施形態を示す斜視図である。
【図２】同上棺の平面図である。
【図３】同上棺の側面図である。
【図４】図２のＩＶ−ＩＶ線における拡大断面図である。
【図５】図２のＶ−Ｖ線における拡大断面図である。
【図６】嵌合部を示す要部断面図である。
【図７】同上棺の作用を説明するための一部を切欠した要部斜視図である。
【図８】同上棺の作用を説明するための一部を切欠した要部正面図である。
【図９】同上棺の作用を説明するための斜視図である。
【図１０】同上棺の作用を説明するための斜視図である。
【図１１】同上棺の作用を説明するための斜視図である。
【図１２】同上棺の作用を説明するための側面図である。
【考案を実施するための形態】
【００１２】
以下、本考案を実施するための好適な一実施形態を、添付図面に従って説明する。
本考案は、図１等に示されるように、長方形状の底板１と、この底板１の両長辺側に設けられている前後の側板２と、底板１の両短辺側に設けられている左右の側板３とで棺本体４が直方体状に形成されている。そして本考案は、この棺本体４の開口状の上面を塞ぐ蓋５を備えて形成されている。
【００１３】
上記の前後の側板２と左右の側板３は、底板１に蝶番６で連結されて折畳み自在に形成されている。前後の側板２は、この実施形態では、図２に示されるように、４個の蝶番６で底板１に連結されている。また左右の側板３は、底板１に２個の蝶番６で連結されている。
【００１４】
前後の側板２を折畳むための蝶番６は、折畳み時に隙間を生じることなく重ね合わすことができるよう、高さが違えられている（図１２参照）。また左右の側板３は、図９に示されるように、折畳み時に底板１の上に重ね合わされて互いに接触することがないから、この左右の側板３を折畳むための蝶番６は、底板１に同じ高さで設けられている。
【００１５】
またこの場合、本考案は、折畳み状態から起立状に組立てられたとき、前後の側板２と左右の側板３を嵌め付けるための嵌合部７が、図６に示されるように、前後の側板２と左右の側板３の接合位置に設けられている。
【００１６】
嵌合部７は、同図に示されるように、雄型の嵌合部７ａと、この雄型の嵌合部７ａが嵌り込む雌形の嵌合部７ｂとで形成されている。雄型の嵌合部７ａは、首部７ａ１と頭部７ａ２とで亀頭状に形成されている。そして、この実施形態の場合、雄型の嵌合部７ａは、前後の側板２の側端部内面の上下位置に設けられている。
【００１７】
また、雄型の嵌合部７ａが嵌め込まれる雌型の嵌合部は、左右の側板３の板厚面（側端面）の上下位置に、孔状に形成されている。
【００１８】
次に、この実施形態の本考案品の使用例を説明する。
【００１９】
先ず、折畳まれた状態から本考案品を組立てる場合は、葬儀社の社員等が、前後の側板２を、一方側、次に他方側の順で、外方に回して垂直に立てる。
【００２０】
次に作業者は、左右の側板３の一方側を引き起こし、雌雄の嵌合部を嵌合させて起立姿勢を保持させる。また同様に、左右の側板３の他方側を引き起こし、雌雄の嵌合部を嵌合させて起立させる。これにより、棺本体４が直方体状に形作られる。なお、折畳む場合は、上例と逆に操作する。
【００２１】
以上の処において、本考案の場合、嵌合部７の嵌合構造は、上例に限定されるものではない。即ち、本考案は、例えば雄型の嵌合部７ａを、前後の側板２に内蔵するコイルバネ（図示せず）で常時外側に弾発するよう設けられているのでも良い。
【００２２】
この場合は、左右の側板３を起立させると、雄型の嵌合部７ａを一旦コイルバネの弾発力に抗して押し込み、次にコイルバネの復元力で雄型の嵌合部７ａが雌型の嵌合部に嵌り込む。また左右の側板３を折畳むとき、作業者が起立状の左右の側板３を、コイルバネの弾発力に抗して強制的に内方に倒すと、雄型の嵌合部７ａを押し込んで退避させることができる。
従ってこれによれば、左右の側板３の引き起こし操作や折畳み操作を円滑化できる、という利点がある。
【符号の説明】
【００２３】
１    底板
２    前後の側板
３    左右の側板
４    棺本体
５    蓋
６    蝶番
【図１】
0003176271.tif 000003
【図２】
0003176271.tif 000004
【図３】
0003176271.tif 000005
【図４】
0003176271.tif 000006
【図５】
0003176271.tif 000007
【図６】
0003176271.tif 000008
【図７】
0003176271.tif 000009
【図８】
0003176271.tif 000010
【図９】
0003176271.tif 000011
【図１０】
0003176271.tif 000012
【図１１】
0003176271.tif 000013
【図１２】
0003176271.tif 000014